【手続補正書】
【提出日】平成17年3月3日(2005.3.3)
【手続補正１】
【補正対象書類名】明細書
【補正対象項目名】全文
【補正方法】変更
【補正の内容】
【書類名】明細書
【発明の名称】
必ず眠れる枕（テオリーくん１号）腰痛防止腰枕（テオリーくん２号）香り、クシャコップ（テオリーくん３号）貯金箱型、必ず眠れる枕（テオリーくん４号）
【特許請求の範囲】
【請求項１】
2004305689.tif 000001
悪い姿勢を続けた場合、人体。Ｓ字形背椎が＿Ｃ字形背椎型に歪曲変形し、このストレスが、同様に連動する大脳、自律神径に伝達される時、やはり  うっ血が生じ、血液が滞り、不眠症や老化現象を起こす原因となる時、＿＿それにより歪んだ背椎に繰り返し加重がかかって、ズレを起こす時、これが主たる椎間板ヘルニア症の原因となります。旨、新医科学、学説見地が発見される請求をして、
【請求項２】
この様な原因のある時、本発明される「必ず眠れる摩法の枕（テオリーくん１号、）品を、人体、後頭部にある後頭骸骸に頭の荷重４〜６ｋｇ重を
2004305689.tif 000002
【請求項３】
人体が悪い姿勢を続けると、背柱にある、Ｓ字形背椎が、Ｃ字形、背椎型に歪曲変形を来たし、このストレスが同様に連動する、悪姿勢部位に対し、うっ血（疲労）が生じ、それらが原因して血液に滞りが生じ続ける時、そこにズレが生じて椎間板ヘルニア症を起こす事が認められる時、人体腰部に、本発明される、「必ず眠れる枕（テオリーくん２号）品をこれに入れ、横になり、体重をかけると、歪曲されたＳ字形背柱は矯正され、うっ血（疲労）が取れる事と共に、ヘルニア症の予防に絶大な効果がある事を発見し、発明される事への請求。
【請求項４】
2004305689.tif 000003
【発明の詳細な説明】
【０００１】
大概この世に生を得て動く動物は「何故、睡眠をとり、何故に夢をみるものであるか？」という睡眠メカニズムから論証する事をして生体機能、解剖学見地において、何故、人は不眠症に陥り、どの様にしたならば、不眠症から解放されるものであるか？を考証論理    を基いとして、解説する時、本発明品が絶大な効力を発揮する由以を科学的に解説されるものとする。
【０００２】
本題に入る。――高等動物には、旧脳（海馬）、大脳（中枢脳）、大脳皮質（新進脳）、小脳（延髓の中枢神径）延髓（神径束支脳）をする四要素から構成される、脳（神径調整、認識機能器）があった。
【０００３】
「動物の躰は、夜る寝むって休憩を取るが、脳だけは２４時間、眠る事は無い。」という意見を聞いた事があった。当該しないものであった。昼夜休まず活動するのは、脳であって、脳でない原始脳と呼ばれる動物体枝神径の固まりを束ね、連動させ続ける延髄と、その調整を計る小脳と呼ばれるものであって、一が動くと二が動くから一は再連動して動き続ける相対連動する枝神径群の束を、永久に同調子で連動させ続け様として、造られて来たものが、原始脳の事であり、アミーバー、クラゲ等が、この脳を持っていた。
【０００４】
更に分かり易く説明すると、人が水に溺れ、心肺停止の仮死状態で全ての生活機能がストップ（仮死状態）したとしても、人工呼吸、心臓マッサージを時間内に規則正しくして、これに蘇生術として、施こすと、この原始脳が二の動作するべく、連動して動き出し、再び、動物体全ての生活機能が甦生し、無窮動し続けるものとなる。という論証を以って、小脳、延髓の解説を終わり、旧脳（海馬）とその調整、調節機管、大脳（中枢神径）、及び大脳皮質（新進脳）の大網解説に移行する。（以後は、高等動物の脳構造解説となる。）
【０００５】
常に敏捷に動く事を必須要素として、進化した動物を例えに揚げ、魚類とし、新進脳（大脳皮質）のこれを急速に進化させる過程を経て、上記、四要素の脳を満している。とし、（進化説）
【０００６】
次に極だって学習能力を必須要素として、進化した動物達を例えに揚げ、これを哺乳類とし、中枢神径（大脳）を急速に進化させる過程を径て、上記述四要素脳のこれを満している。とします。
【０００７】
然るに本題において、敏捷な動きを常用必須とする魚類。及び、学習能力を常用必須とする哺乳類。いずれにおいても、それらの者達は、頭部をグラつかせる事なく、固定させ、その目線を一定に定めさせる事が出来なければ致命的となる事の理を得て、魚類は、
2004305689.tif 000004
【０００８】
しかしながら、動きも比較的鈍い哺乳動物では、むしろ、学習能力を重視するべく、その目線を固定させながら、頭部を前後、左右に
2004305689.tif 000005
を異常な程まで、発達させ続けるものであった。
【０００９】
それ故、これら高等動物の持つ脳のうちの海馬は、動物の通常（昼間の）活動時間帯は、深眠に入っており、大脳（中枢神径）と新進脳（大脳皮質）とだけのやりとりで、生活しておりますが、およそ、８〜１０時間近くになり、これらの脳の稼動に就眠が来ると、メラトリン（覚酔物質）が分泌されて、この脳の稼働をしっかりマヒさせた時、大脳、及び新進脳は、「眠りに入った。」と呼び、これが眠り」の正体です。すると、代って、海馬（記憶中枢）が起きだして、昼間、大脳と新進脳の間でやりとりされた、その日の諸情報の収集分析に入り、およそ、同時間の８〜１０時間かけて、分析し、日常生活稼動時間帯に不必要な（安全、危険、食事、排泄、性殖、移動、眠…等）諸情報を、そこに残して、纏まりが付くと、βエンドロフィン
2004305689.tif 000006
に送り返す現象が起こる時、この時、人、動物は夢をみます。（これが夢の正体であり、臨床心理学の領域となります。）この様に、通常は、昼、海馬が眠って、大脳が起き、働いているものであった時、絶大であり、
昼、稼動時間帯に、急に、危険が生じ、任意性、ストレス性を問わず、大脳から、これが原因する大脳から、緊急命令が発令された時、大脳（中枢神径）にレム期によって、貯えられたるだけの諸情報では、絶対的不足する時、深眠中の海馬が叩き起こされる事となりますが、その時の用方は、人、動物は気絶（メラトリン、他βエンドロフィン大量分泌の為）する事となります  危険が去り、意識を取り戻した後に、大脳が、安全宣言をしたとしても、後遺症（トラウマ）として、暫く躰が動かない事がしばしばあります。それは、先述する普段、昼、就寝中にある海馬が大脳が発っする緊急指令におどろいて、叩き起こされ、インパルス電子大量発生し、同時に、大脳で発生すべくシナプス電子を呼応する大脳で発生させず、（大脳主幹通路を経由させず）、大量のシナプス電子を海馬で呼応させ、（シナプスのワープ。第六感。テレパシー等）海馬は、それを直接、小脳、延髓、自律神径に順に伝えてゆくので、インパルス＝シナプス⇒意識の関係は成立しなくなります。
【００１０】
この様に、大脳主幹神径を経由せず、いきなり、海馬から小脳に強い刺激で＿働きかけがあると、この時、小脳及び自律神径はまず＿
2004305689.tif 000007
込みます。すると、椎間板、他に、緊張が走り、それぞれ、個々にデタラメな萎縮が走る（併害として、４０、５０肩痛症など）他、無意識症候群（自律神径失調症）が併発する時、体調、体面にさへ変化、兆候の変化を見せ始め、（これらは海馬の不眠症という。）
【００１１】
軽度の際には、第一度として普通にして生じる不眠症（海馬の不眠症が原因する）、独り言、性倒錯症、独り言、白髪、シワ、倦怠感、脱毛、等に見られ、第二度に進むと、夜光性、自問自答する独り言、昼に生じる倦怠感、他、急激な白髪化、脱毛症、シワによる老化現象の身体的特徴が見られる他、大脳（前頭葉）は、海馬（記憶神径）の為す行為をいちいち、著しく、危険な行為と判定する錯誤から、引き籠り症を併発する様になります。
【００１２】
そして、第三度に進むと、徴眠む事、眠っている時間が多くなり、寝言や、奇声を発する事が多くなり、自制心がなくなり、反社会的行為、（護身物等の保持）が目立つ様になり、引き籠りは病的に強くなってゆきます。心神こう弱状態（大脳にβエンドロフィンが流れ、メラトリンが拒絶されます。）
【００１３】
第四度（心神喪失状態）になる重度になると、喜怒哀楽をして、泣き笑うの区別がつかなくなり、奇行としては、夢遊症を併発し、昼夜別なく（特に学校、工事現場等を）徘徊し、他者を殺傷する等の報告があるが、当人に自覚はありません。目先定まらず、
【００１４】
第五度になると、喜怒哀楽が無くなり、治産者行為は不可能となります。その由以は、前記する急激であり、度を越えた脳間絶交（精神分裂）症が起こる為、記憶（その間の意識）が無くなってしまう後遺症が理由にあった。極単な例が記憶喪失症であり、就眠中、主に高い所、ビル学校、給食施設、工事現場、割れ目（暗部）等に見られる部位を歩き廻わって帰宅する夢遊症がそれである。これら患者のいずれの後頭
2004305689.tif 000008
【００１５】
2004305689.tif 000009
平行感覚が取れなくなるに至り、致死存命を危ぶむ事になりかねます。それ故、血液は常時、ここ＿に大量にストック（常持）していなければならず、
【００１６】
然るに、本発明品である、「必ず眠れる摩法の枕、テオリーくん１号＿を本図６に示す＿位置に頭の重さ、５〜６ｋｇの荷重をかけて、＿押しつける様にし、
2004305689.tif 000010
う為、気を失った勢いで、人、動物は、深眠に陥る事が出来ます。
【００１７】
2004305689.tif 000011
しなやかさや柔軟性を保とうと努め始めます。
【００１８】
その為、いびきをかき始めたら、すぐに本発明品枕、テオリーくん１号、２号をそれぞれ、本図の示す指定の場所に当てがって、それらの緊張を解いてやると、いびきは停止するものであった。又、ヘルニア症予防に対する効果があり、
【００１９】
本発明品は精神を安定させる為、ニコチン症、アルコール依存症への治癒緩和にも、これをペアで使用して役立つものでもあった。
【００２０】
【従来の技術】
有史時代の文献において、不眠症、白髪、若ハゲ、シワ、肩凝り、頭痛、近視、乱視、遠視、いびき、ニコチン、アルコール依存症、腰痛症に悩み苦しむ人々の苦しみが描かれていのを見たが、人々は、薬学を突出させ、最近の多くの発明、考案に関する論文も見たが、これらを解消させる為、ベルト有り、
【００２１】
ラドン温泉療法有り、ローラーを背に当てがい移動させ、背骨を矯正させる単立的考案。そして、電子や電機に目を付け、これに振動を与えさせる事、やがては、マグネット磁気を利用する血液の対流を良くし、帯磁力によるイオン化（血液が活発に動く）により流通をスムーズにさせ、これらの元凶ともなる汚れた（乳酸菌をして、高脂結晶酸化物体内推積）血液を首筋、肩から強制的に排出させようと務めるものであったが、
【００２２】
2004305689.tif 000012
（血垢）となり、これに乳酸菌（痛みを造る物質）が付き、チーズが出来る様に血垢は次第に固ってゆき、ドロドロとなり、筋内血管等に附着し、これに、更に強い酸を出す雑箘が付き始める時、石灰化が進み、あらゆる蛋白質、酵素をボロボロに分解してゆきます。（２００４−２０１２０８、歯槽膿漏治し歯磨参照）
【００２３】
この現象が、持続し、生物体、毛細血管内に生じ、細胞を破壊し続ける時、上記述文章に示された、あらゆる老化現象、不眠症が生じてゆきます。
【００２４】
この様な時、最近発明され続けている、やたら凹凸を付け、磁気を滞びた枕、副飾品、そして、ムチ打ち症に用いられる頸部固定器等をする、何ら、生体機能、メカシステムにある科学的根拠を得ない、この種に関しての駄作的な発明論文が山積され続けている現状を踏まえて、見当される時、
【００２５】
これらの物品を例え人体頸部に当てがってみても、気休め低度に血行がよく、血液が活発に動き、頭部の重さが軽減したくらいに錯覚するが、熱ぐるしく、又、微弱振動を与える物は、脳しんとう現象（後述）を起こすので、既に廃れ、須く一時の流行を履しても、これらの発明品には、治癒効果の無い事にすぐに気が付くので、やがて消費者はこれらを購入しなくなり、自然消滅してゆくものであった。
【００２６】
【発明が解決しようとする課題】
不眠症、白髪症、若ハゲ、シワ、肩凝り、頭痛、近視、乱視、いびき、ニコチン、アルコール依存症、腰痛症、精神症……等を緩和、治癒するのに為す、あらゆる枕や、副創品機能メカニズム、システム、そのものを科学的に理解してはいないで考案され続けているものばかりであったので、本論文は、それらを非定し、解明、解説し、考証論理に基づく動物実験をも用いて、発表し、本課題を次から示す様にして解決するものであった。
【００２７】
本発明詳細で既説される、人動物、生体生理機能学上、海馬がストレス等、緊張を感知し、小脳、自律神径に刺激が興奮として、直接伝達される時、
2004305689.tif 000013
原始脳（小脳）が興奮を残したままの刺激は、大脳を径由せず、自律神径に入り、小脳に記憶され、再び、大脳を径由して、海馬（記憶界）に入ろうとしても、海馬は受けつけません。分かり易く言うと、ここに脳間絶交症（精神分裂症）があります。即ち、戦争（受験戦争、就職戦争、戦争ゲーム等にある）で生死を分かつ「自周囲にある動く者全てが（自分の命を狙う）敵である。」と言う訓練を受けた者（兵士）達は、乳飲み児を抱えた婦女子であっても、動けば、夢中の事として、戦車でひき殺しますが、罪悪感は存在しません。然るに、これを繰り返えし訓練した時、当人は無意識中にあるまま、人体の脳、海馬（記憶）と前頭葉（意識）の間に、多大なストレスとズレが生じ、やがて人知れずうちに、精神分裂症を来たし、廃人となってゆきます。（臨床）心理学効果による。
【００２８】
2004305689.tif 000014
昼夜を問わず、思考錯誤する徴弱電気、電子を考案して後、やたら多くの凹凸をつけた枕を用いたり、副飾品に強力磁力を発っする首飾りを考案し続けるものであったが、目線の喪失を計るべく、大脳の錯覚を起こさせる論理の元、これがして、
【００２９】
しかしながら、上記述まで説明される神径過敏症に陥り、海馬の就眠が滞り、大脳（中枢神径）と伴に起き続け、海馬と原好脳が中枢神径（前頭葉等）の指令を無視し続け、絶対的命令の元に、この間で、相殺効果（この勝負に負けたら明日が無い。等の理由でもよい。）を表し、レム催眠効果中にある時など、興奮冷めやらぬ悪巡環に陥いるべく人々がストレスのうちに増大する近年、これらの人々が、本発明品、枕を利用した場合、これら刺激性
2004305689.tif 000015
なってゆく為、人動物は、やがて、規則正しく、明確となってゆく為、人動物はやがて、規則正しい就眠をする事が出来るものとなった。
【００３０】
本、発明されるテオリーくん２号枕はビン、コーヒーの空ビンで有効であり、この会社が、本枕テオリーくん１号をもペアで御製作下さればゴミ資源再利用に役立ち、全国民３７％の不眠症に苦しむ人々の救済に役立つと願って止まない。
【００３１】
【課題を解決する為の手段】
2004305689.tif 000016
後、目がうつろとなり、（目線を失う）よだれを垂らし始め（視床下部の圧追刺激）、ひきつけをお起こし（大脳正常器回路遮断）て後、居眠り開始（意識喪失）事の報告で一手段とし、動物実験を続ける、
【００３２】
2004305689.tif 000017
微眠始めるものとなるが、雄動物の場合、性倒錯現象となり、性器の肥大（オーガズム）が見られる報告をし、二手段とし、
【００３３】
今度は、これらの動物等の同じ位置に振動機を取り付け、徴振動から順に強振動を与えてゆくと、目線を失う事、やがて動物は脳しんとうを起こし、徴眠んでゆく事を報告して、三手段。
【００３４】
次に人体実験（自身実験）における、人をうつ伏せに寝かせ、のけぞる様に起こし続け（サバ折り姿勢）逆Ｃ字形の背骨形成を作り、目線はあくまでも、上方を見させ続けると、人動物は、目線を失い、視床下部が圧迫され、同時に徴眠（意識障害）状態になる報告をする第四手段とし、人体実験を続ける事、
【００３５】
人に本、発明品、テオリーくん枕１号２号を付け、就眠姿勢を取ってもらい、居眠りに入るまでの５〜６分間、ＭＲＣ、サーモグラフィック、脳波検値機をそれぞれ用い、検値してみると、大脳から急速に血行が引き、視床下部が、血液で、圧迫され、これの体温が上がり、磁力が発生する他、
【００３６】
トラック、タクシー運転手等で、腰を痛めている人員に、本枕、テオリーくん２号を３０分程、当てがい使用してから、外し、サーモグラフィックを見ると、それまで、青みがかり、血行の悪かったＳ字曲線は改善（矯正）され、赤くなり、血行促進とともに、「治癒された。」という、証言を得る事で、本論文内容を解決する第五手段とします。
【００３７】
【発明の実施形態】
2004305689.tif 000018
使用し、頭の重み（４〜７ｋｇ）の全荷重をかけて、就眠姿勢を取ります。枕の形状は、先の丸いものから、先の鋭い物があり、特に近視、乱視のひどい人や、重度の肩凝りのある人は、この枕を初めて使用すると、強い痛みを感じます。（乳酸菌によるうっ血化現象＿があるからです。しかしながら常人には、それは殆ど有りません。それ故、最初は、先初は、先の丸い形状の物を使用します。５〜６分の時間のうちに、微眠み始め、意識を脱落するかの様に、深い眠りに陥って行く事は、枕から頭が落ちる事で、気が付きます。テオリーくん１号枕は、後頭骸、眼傍つぼ以外に使用する事を厳禁（危険）とする為、本発明図に示す形状を理想の素形としているものであった。
【００３８】
【実施例】
人間の躰は朝、晩合計１時間の微眠む余暇時間の他、昼８時間に稼働時間、夕方８時間の準備時間、夜る８時間の睡眠時間を要し、１日２５時間の体内時計を持っています。そして、この様に時間設定できる人々を規則正しい生活を送っている人々といいます。ところが、めまぐるしい時間の動く現代、規則正しい生活時間設定が出来なくなっている人々をむしばみ、病的に不眠症と呼ばれる併害が起こる事があります。
【００３９】
（不眠症とは？）
ところが、人々は、現代病として、流行する、不眠症と呼ばれるものの実態は殆ど分かっていません。不眠症とはストレス、他、あらゆる理由によって、人間が人間として、社会活動をする為に、１晩に継続して、約８時間以上必要とする纒った睡眠時間を摂取する事が出来ずに途中、途中頻繁に睡眠が中断され、夜中に目が冷めて、以後一切眠れなくなる事を言います。
【００４０】
（不眠症の原因）
この様になると、血行不良、栄養不良、新陳代謝不良による老化衰退現象やあらゆる病気が、起こり易くなります。豊食の現代において、その大半は夜半コーヒー、紅茶ガブ飲みしたり、理不尽なダイエットや、栄養失調による空腹（ストレス）が大きな原因となる場合が多い様です。就眠前に適度な食事は必要です。
【００４１】
（不眠症が起こる身体の特徴）
2004305689.tif 000019
過敏となり、就眠時における（小人でも）ひきつけや、両脚、腿等に頻繁にからす返りが起こり易くなり、睡眠（メラトリン分泌量）も少なく、不眠症となってゆく徴向が見られます。重度の場合は、編頭痛があります。その理由は、就眠中、メラトリンが薄らぐと、替わってβエンドロフィンが分泌されるまま、徴眠が続き、βエンドロフィンの活用は長く続かず、これが薄らぐと、再びメラトリンが分泌されるままに、まばらに働いており、大脳のうち、嚊覚神径、聴覚＿神径、感覚神径の順で眠らせ（マヒ）させてゆきますが、視覚神径、運動神径については、一番覚醒（酔）が遅く、日常悪習慣により、自律神径が、
2004305689.tif 000020
運動神径をする大脳に極度に働きかける時、神秘的な金縛り現象に遭います。実例で言うと、
【００４２】
不規則生活になり易い夜間運行のタクシー、トラックの運転手が幽霊をみたり、前方からオレンヂ色のトラックの尾灯が自分に攻まり来るって来て、衝突事故を起こします。脳間絶交（精神分裂）症の中度期症状です。これが重度に進むと、実例ではＵＦＯに遭遇したり、吸い上げ現象に遭ったりし、（欧米報告）夢遊症（ナルコレプシ）となり、極少例にあります。（但し、ＵＦＯは実在します。２００５−  ＵＦＯＩ型機参照）精神鑑定すれば、すぐに分かる事であった。軽度では、就眠中、いきなり、ひきつけ、うわごと、からすがえりが起こります。
【００４３】
（テオリーくん枕を使用して、不眠症を治すやり方）
2004305689.tif 000021
失調症の緩和に役立ちます。そして、軽度から始まる脳間絶交（精神分裂）症によるひきつけ、うわ言、からす返り、ナルコレプシはやがてなくなってゆき、治癒されます。
【００４４】
そして、この枕を持続使用すると、大脳を眠らせる覚醒（酔）分泌物が、βエンドロフィンに続き、メラトリンが誘発し、３０〜４５分間程、多量に分泌し、大脳を眠らせますが、メラトリンが簿れてゆくと、目が冷めます。頭が枕から転げ落ちるのですぐに分かります。その時、再度、本枕を使用し、再就眠を試みます。日々この様にして、この枕を使用し、１日８時間以上の継続する規則正しい就眠生活を訓練すると、不眠症はやがて完全治癒します。
【００４５】
（テオリーくん枕の効能を高める方法と別使用方法）
本枕を使って不眠症を治癒させようとする場合、継続利用をお勧めいたします。又、別使用に示すツボの位置に当てて、使用すると、近、乱、遠視の矯正にも役立ちます。飲酒後や風呂上がり、猛勉の後、頭脳が熱くなっている時に御使用される時には、湿った冷たいタオルを両眼の上に置き、両脚を高くし、本枕を使用し、就眠姿勢を取ると、深眠に入れます。イビキが気になる方にも本枕を使用すると、イビキは止まります。
３０〜４５分程、昼寝をしたい時にも、本枕は絶大な効果を表わします。
【００４６】
【発明の効果】
動物、考証論理上から、犬猫類をする肉食に近い動物では、雄は交尾の相手の意に添ぐわない時には、決まって雌の後頭骸筋に噛み付き、これを意のままにし、雌は、我が児の運搬の際には、後頭骸筋に喰え付いて、持ち運びに供し、得物を掴える時にも、彼等は、この部位を確実に狙って、これを掴えます。
2004305689.tif 000022
海馬が、即座に睡眠のスイッチの切り替え現象を起こす現象から、どんなに睡眠が満ち足りている場合（風雪の中の昼寝をも指す）の人でも、強制的に眠ら（レム状態）されてしまうものとなるので、性器の肥大さへ見られます。
【００４７】
その為、病院等で用いる場合、普段は、普通の枕を使用し、時々、本枕を用いると、最大の効果が得られます。しかしながら、本枕を常用し過ぎると、前記する大脳と海馬の睡眠の切り替え現象が頻発する為、レム睡眠化現象状態が幣発する為、常時、（メラトリンが切れていてもβエンドロフィンが分泌され続ける為）微睡状態が身体に起こるからです。幣害は、現実と非現実の区別がつきづらくなりますが、病床安楽を望む患者さんが望む時、注意を以っての使用は、よい。と考えられます。
【００４８】
例えが良くありませんが、神様は良くしたもので、考証論的に見るアフリカ、サバンナで狩りを営む、肉食獣では、大型被食獣を捕食する為、狩りをする際には、
2004305689.tif 000023
【００４９】
そして、ここを噛み付かれた被食獣は、苦しむ事なく、恐怖心も簿らいだ様に気持ち良さそうに微眠み始め、性器の肥大さへ見られます。言うまでも
2004305689.tif 000024
刺激が起こり、オーガズムを起こす所となったからです。
【００５０】
2004305689.tif 000025
すると、然程力を入れず、殴っても、被害者は目線を失い、意識を無くします。やがて、居眠りから冷めた被害者が「まだ殴られた所が痛む！」と言っているシーンがあれば、それはウソであり、この原理を知らないプロデューサーの筋書き違いです。
【図面の簡単な説明】
【００５１】
【図１】
昼大脳が起きて、パルス外入力電子＿を取り入れ、インパルス電子を体内に発生させ、それをシナプス電子に変換させる刺激を各脳神径に伝達し、情報交換し、活動する時、旧脳、海馬は就眠中にある事を示した図。（巷みに未熟ではあるが、パトリオット追撃ミサイルには、これらの原理が応用されています。）
【００５２】
【図２】
2004305689.tif 000026
続けた諸情報をこれに取り込み、シナプス電子に再変換する。（強い情報はトラウマになる）以外、就眠時間、約８時間かけ、就眠中の大脳が発生させる、インパルス微弱電子放出（レム周期）時に合わせて、同周波数（記憶）にあう、これを大脳に送り返す。（この時、夢を見る。）図であって、本発明品、テオリーくん１号枕と、これの使用図。（特願、２００４−１８１９０４、健康甦生保険手袋を参照されたし）
【００５３】
【図３】
生、死、食、性、飢にかかわる五認知は、原則として、海馬の記憶に取り取り残されるものとなるが、極大嫌悪シナプス周期率の発生は、後のトラウマになり、この脳内に残る事を示す図であり、
コーヒーカップ等をテオリーくん１号枕に供するべく、窯入れする前の段回で、これを歪曲させ、クシャカップを作り、これを陶器として作り、中にラベンダー等の芳香草等を入れ、散らからない様に金網の蓋をし、本発明目的の枕として作う事を示した図。
【００５４】
【図４】
2004305689.tif 000027
発明される貯金箱型必ず眠れる枕（テオリーくん４号）を表わした図。
【００５５】
【図５】
2004305689.tif 000028
【００５６】
【図６】
必ず眠れる枕、テオリーくん１号、２号併用して使用すると、効果が上がり、それと同時に、ヘルニアを予防し、人体Ｓ字形背柱の矯正に役立つ事を示した図であるが、つぼを●点で表わした位置に本発明品を用いて使用し、就寝前５〜６分間、このつぼを刺激すると、乱視、遠視、近視（仮性）は治癒されます。
【００５７】
【図７】
姿勢を悪くして、する仕事、業務を日々継続すると、人体Ｓ字形背椎から、Ｃ字形背椎に変わり、ヘルニアを起こし易い図と、矯正椅子図。
【００５８】
【図８】
2004305689.tif 000029
車等のシートに用いると、時間をかけず、すぐに安眠に入れる事を示した図。
【００５９】
【符号の説明】
2004305689.tif 000030
３、筋肉血管図。人体の目線（レベル）の上下加減の安定を計るべく、主として、後頭骸筋に栄養（血液）を常時補給すべく、伸縮自在の血管であり、
2004305689.tif 000031
人、若しくは、動物は眠れなくなり、不眠症となる。
４、頭皮図。５、頭骨図。６、海馬図であり、この脳は旧脳に属し、記憶体系を司り、通常、夜る起きて活動する。
７、大脳図。新脳の事であり、主に（高等動物）の生活系に直接関かわる常時必要な諸情報を（夜る起きて働らく海馬に整理され）、順次中枢神径に貯え、海馬の就民に合わせて起き出し、働らく時、インパルス、シナプス電子等信号を交互に発生させ、新進脳（大脳皮質）と互いに連絡を取り合い続けるが、共に近在情報をのみ殆ど収得するものであり、ほぼ旧体情報を持たず、これを枢使し、夜る眠ると、ここにバネの様に収宿した（図１の７に見られる疲労）、その日、その日の新情報を一度にドッと、旧脳海馬に吐き出す時、（人は）深い眠りに入ったと言う。（大脳の疲労回復ともいう。）すると、海馬が起き出して、大脳が吐き出した諸情報を凝縮したバネの様にして受け止め、その膨大量の諸情報の支訳けを約８時間かけて、取り行ない、整理が付くと、レム期に同調し、（この時、メラトリンが冷めて、βエンドロフィンが分泌される。）大脳を起こし、海馬に近い所から、順送する、いらない不要な情報から、必要な情報を大脳（中枢神径）に送り込み続ける事となります。
８、大脳皮質図。新進脳であり、主に（高等動物の）生活系に直接係かわる目、手足、指、舌、等を瞬時に動かす命令指揮系統を司る脳であり、その動きの判断、指揮系統は、大脳（中枢神経）にあり、フェンシング、剣道、レーシングドライバー等他、読書家（速読）、コンピューターオペレーターをして、活動する、大脳被質の俊発、機敏性を必要とする職業人は、この脳の発達が旺盛となる事と共に、筋、血管が発達し、まばたきが少なくなります。
９、延髓。原始脳であり、下等動物、高等動物にある、心臓、他内臓、呼吸機関にある自律神径につながり、一が動くと二が動き、二が動くから、連動して、又一が動くという様に、規則正しい動きを司る調整器管であり、これに異常、変状が起こると、その調整にも携さわり、永久運動をこれに持続させようとして働く事を、職務としている神経束と、調整器的役役を果す器管。
１０、小脳。自律神径、延髓の自動永久動作に、異常、変状が起こる時、これらの調整を司る、これらのものに対しての中枢神径機管となる。
１１、インパルス、シナプス直線ベクトル線図。
人動物等は、昼起きて、大陽光（パルス）の多い時、その必要なパルス電子波長を主に膚（ロドプシン）細胞と眼を進化させ、体内に多く取り入れた時、同時にそれを
2004305689.tif 000032
生物は、目の見える範囲を自体と同化させる事の認識を得る事が出来ます。分り易く言うと、
１２、インパルス、シナプス曲線ベクトル（バネ状ベクトル）図。
2004305689.tif 000033
先範囲の直線光影を直線範囲で見た。と言い、これに反して、１００Ｍ先の鼠を発見する猛禽類では、
１３、目、目線を示した図。
2004305689.tif 000034
あくまでも、鉛直に対して直角（レベル）位置でこれを見続ける事を必ずしも必要としている図であり、暗がりや、遠距離において、得物の狩猟    を必要とする、猫、ワニ、ヘビ、引いては、鷹、鷲等の眼が光って見えるのは、彼等の眼球が我々人類とは違い、大きく作られておりシナプス電子発電量が違っている由以にあります。それ故、シナプス電子発電量の多いヘビがその発電量の少ないカエルの目線に照準を合わせた時、その出力差からカエルの
2004305689.tif 000035
兵士等人間の目も闇の中で相当に光るらしく、怪談話しのよくネタに揚げられます所、嫉妬に狂った女性が、蛇にも負けない眼光を出力し、この電子力を放ち、  掘強な男性兵士さえも石の様に固まらせ、怪談話をより一層、真実味を滞びさせるままに、ギリシア神話のゴーゴンに祭られ、学者達の裏話しとなり、哲学を盛り上げますが、トドのつまり、鏡を持たせると、これらのものは別科学に応用されるものとなった。（特願２００４−３１４７９６、盗聴コン、ウィルス防止器参照されたし）
１４、必ず眠れる眈（テオリーくん１号）を示した図。１５、腰痛防止枕（テオリーくん２号）を示した図。１６、香り、クシャコップ（テオリーくん３号）を示した図。１７、金網１８、Ｓ字型背椎図。人の背柱は、直立歩行をするのに有利な様に。Ｓ字形をしている。ところが、悪い姿勢を余議なくされがちな、一日座り仕事をする事の多い事務職や車両運転手業におけるタクシー、クレーン、ユンボ、ダンプ長距離運転手業の人々は、退職すると必ず、腰を痛め、曲がってしまうという神話があり、これは事実に基づく実話であったが、その論理は、これらの人々は、人体生理機能学上、その日々の業務中、これらの荷重を保持し、直立歩行するのに適したＳ字型背推曲線を強制的に丸める為、図はＳ字型背推を表わしており、１９、Ｃ字型背柱図。むしろ、Ｃ字型の背柱構造曲線を作ってしまうものであった。それ故、図はＣ字型背椎を表している。
２０、腰型ヘルニア図。  その為、これらの人員では、その業務中、荷物の積み降しも取り行われる場合も多く、その悪癖で腰椎がズレ易くなっているものであり、（これが椎間板ヘルニアの正体であった。）Ｃの字型になっているのであり、（特に）腰椎に体重荷重をかけて、曲げては、起こす動作を繰り返えした場合、耐えかねた腰椎がいきなりズレる時、ギックリ腰（ヘルニア）となるべく、生態メカニズム現象を現代、医学外科学会には報告されてはいないものであった。（論文が無い。特許論文となった。）
２１、Ｓ字型腰椎矯正図  それ故、休憩中の運転手やリクライニングチェアー他、就眠前に、腰痛防止枕（テオリーくん２号）を人体腰部に入れて、歪曲したＣ字形曲線腰椎を矯正し、Ｓ字型曲線腰椎に戻してやると、この業種のギックリ腰（ヘルニア）は壊滅してなくなる程の絶大な効果があるものであった。又、この枕を腰部他の場所に当てがって５〜６分間の矯正を行うと、やはり、大脳、小脳、自律神径と連動する機関である背椎は、目線が狂ったものである。と錯誤し、多量のβエンドロフィンから始まり、やがてメラトリンをする（大脳覚酔物質）を分泌し続けるものとなり、やがて、深い眠りに陥る事が出来る事と共に、不眠症をも解消出来るものであった。
２２、膝乗せ器。２３、極大嫌悪記憶（トラウマ）を示した図。２４、ラベンダー等の香り草。２５、貯金箱型、必ず眠れる枕（テオリーくん４号）の図。２６、時計。２７、貯金箱の  ２８、時計入れ凹。２９、カレンダー。３０、カレンダー入凹。３１、メモ用紙。３２、メモ用紙入凹


【手続補正２】
【補正対象書類名】図面
【補正対象項目名】全図
【補正方法】変更
【補正の内容】
【図１】
2004305689.tif 000036
【図２】
2004305689.tif 000037
【図３】
2004305689.tif 000038
【図４】
2004305689.tif 000039
【図５】
2004305689.tif 000040
【図６】
2004305689.tif 000041
【図７】
2004305689.tif 000042
【図８】
2004305689.tif 000043